(57)【要約】【課題】スピーカ部の放音方向を耳に向け、且つマイク部の集音方向を口元に向けて、スピーカ部とマイク部との両方の指向性を確保する。【解決手段】腕時計本体１を腕に装着する時計バンド３のバンド止め具４に、支持部材５を、時計バンド３の長手方向に対し直交する方向と、時計バンド３の表面に対し重なる方向とに変位可能に取り付け、この支持部材５の一端部にスピーカ部１１を設け、その他端部にマイク部１２を設けた。従って、通信する際に支持部材５を時計バンド３の長手方向に対し直交する方向に変位させると、腕に取り付けた状態でも、支持部材５のスピーカ部１１を耳側に向け、且つマイク部１２を口元側に向け易くなり、このためスピーカ部１１の放音方向を確実に耳に向けることができ、且つマイク部１２の集音方向を確実に口元に向けることができ、スピーカ部１１とマイク部１２との両方の指向性が確保できる。【選択図】        図２
2004266354.tif 000002
【特許請求の範囲】
【請求項１】
機器本体と、
この機器本体を腕に装着するためのバンドと、
このバンドの所定個所に前記バンドの長手方向に対しほぼ直交する方向と前記バンドの表面に対し重なる方向とに変位可能に取り付けられた支持部材と、
この支持部材の一端部に該支持部材の長手方向に沿う先端方向に向けて設けられたスピーカ部と、
前記支持部材の他端部に該支持部材の表面に対しほぼ垂直方向に向けて設けられたマイク部と
を備えたことを特徴する腕装着型通信装置。
【請求項２】
前記支持部材は、前記バンドに重なり合う帯状に形成され、その所定個所が支持軸によって前記バンドに回転可能に取り付けられていることを特徴とする請求項１に記載の腕装着型通信装置。
【請求項３】
機器本体と、
この機器本体を腕に装着するためのバンドと、
このバンドの所定個所に支持軸によって前記バンドの面方向に回転可能に取り付けられ、且つ前記バンドに重なり合う帯状に形成された支持部材と、
この支持部材の一端部に設けられたスピーカ部と、
前記支持部材の他端部に設けられたマイク部と、
前記支持部材の少なくとも一端部を前記バンドに係脱可能に係止するロック部材と
を備えたことを特徴する腕装着型通信装置。
【請求項４】
前記支持部材の一端部に設けられた前記スピーカ部は前記支持部材の長手方向に沿う先端方向に向けて設けられ、前記支持部材の他端部に設けられたマイク部は前記支持部材の表面に対しほぼ垂直方向に向けて設けられていることを特徴とする請求項３に記載の腕装着型通信装置。
【請求項５】
少なくとも時計機能部を有する機器本体と、
この機器本体を腕に装着するためのバンドと、
前記機器本体を前記バンドによって前記腕に装着した状態のときに、その腕を挟んで前記機器本体と反対側に位置する前記バンドの所定個所に設けられたキー入力部を有する通信部と、
この通信部にヒンジ部によって開閉可能に取り付けられた表示部を有する通信蓋と、
前記通信部における前記ヒンジ部と反対側に位置する個所に設けられたマイク部と、
前記通信蓋における前記ヒンジ部と反対側に位置する個所に設けられたスピーカ部と
を備えたことを特徴する腕装着型通信装置。
【請求項６】
前記通信蓋は前記ヒンジ部によって前記バンドの長手方向に対し直交する方向に向けて開閉することを特徴する請求項５に記載の腕装着型通信装置。
【請求項７】
前記キー入力部は前記バンドの長手方向に対し直交する方向に向けて配置され、前記表示部は前記バンドの長手方向に対し直交する方向に向けて情報を表示することを特徴とする請求項５に記載の腕装着型通信装置。
【請求項８】
少なくとも通信機能部およびキー入力部を有する機器本体と、
この機器本体を腕に装着するためのバンドと、
前記機器本体にヒンジ部によって前記バンドの長手方向に対し直交する方向に向けて開閉可能に取り付けられ、且つ前記機器本体に対面する表示部を有する蓋体と、
前記蓋体における前記ヒンジ部と反対側に位置する個所に設けられたスピーカ部と、
前記機器本体と前記蓋体との一方に前記スピーカ部から離れて設けられたマイク部と
を備えたことを特徴する腕装着型通信装置。
【請求項９】
前記マイク部は、前記機器本体における前記ヒンジ部と反対側に位置する個所に設けられていることを特徴とする請求項７に記載の腕装着型通信装置。
【請求項１０】
前記蓋体には、前記スピーカ部を搭載するスピーカ搭載部材が前記ヒンジ部と反対側に向けて突出可能に設けられていることを特徴とする請求項７に記載の腕装着型通信装置。
【請求項１１】
前記キー入力部は前記バンドの長手方向に対し直交する方向に向けて配置され、前記表示部は前記バンドの長手方向に対し直交する方向に向けて情報を表示することを特徴とする請求項８に記載の腕装着型通信装置。
【請求項１２】
前記キー入力部は前記バンドおよび前記支持部材のいずれか一方に配置されていることを特徴とする請求項１〜４のいずれかに記載の腕装着型通信装置。
【発明の詳細な説明】
【０００１】
【発明の属する技術分野】
この発明は、腕に装着して通信することのできる腕装着型通信装置に関する。
【０００２】
【従来の技術】
従来、腕装着型通信装置としては、腕時計に通信機能を持たせ、この腕時計を腕に装着するための時計バンドにスピーカとマイクとを設けた腕時計型電話機がある（例えば、特許文献１参照。）。
【０００３】
【特許文献１】
国際公開Ｗ０９８／０５１４８
【０００４】
このような腕時計型電話機は、時計バンドに腕時計とは別のケース体を時計バンドの幅方向に突出させて設け、このケース体の両端部にそれぞれスピーカとマイクとを互いに離反する反対側に向けて設け、これによりスピーカから放音された音をマイクが拾ってしまうという所謂ハウリングを防ぐように構成されている。
【０００５】
【発明が解決しようとする課題】
しかしながら、このような腕時計型電話機では、スピーカとマイクとが時計バンドの幅方向において互いに離反する反対側に向いているため、腕に取り付けて使用するときに、スピーカの放音方向を耳に向けると、マイクの集音方向を口元に向けることができず、逆にマイクの集音方向を口元に向けると、スピーカの放音方向を耳に向けることができず、このため十分な指向性が得られないという問題がある。
【０００６】
この発明の課題は、腕に取り付けて使用するときでも、スピーカ部の放音方向を耳に向け、且つマイク部の集音方向を口元に向けることができ、これによりスピーカ部とマイク部との両方の指向性を確保できるようにすることである。
また、この発明の他の課題は、機器本体が装着された腕を不自然に曲げずに自然な状態で通信ができるようにすることである。
【０００７】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図５に示すように、機器本体（腕時計本体１）と、この機器本体を腕（２）に装着するためのバンド（時計バンド３）と、このバンドの所定個所（バンド止め具４）に前記バンドの長手方向に対し直交する方向と前記バンドの表面に対し重なる方向とに変位可能に取り付けられた支持部材（５、１８）と、この支持部材の一端部に該支持部材の長手方向に沿う先端方向に向けて設けられたスピーカ部（１１）と、前記支持部材の他端部に該支持部材の表面に対しほぼ垂直方向に向けて配置されたマイク部（１２）とを備えたことを特徴する腕装着型通信装置である。
【０００８】
この発明によれば、機器本体を腕に装着するためのバンドの所定個所に、支持部材が、バンドの長手方向に対し直交する方向と、バンドの表面に対し重なる方向とに変位可能に取り付けられているので、通信する際に支持部材をバンドの長手方向に対し直交する方向に向けて変位させると、機器本体をバンドによって腕に取り付けた状態でも、支持部材によってスピーカ部を耳（１４）側に向け、且つマイク部を口元（１５）側に向け易くなり、このためスピーカ部の放音方向を確実に耳に向け、且つマイク部の集音方向を確実に口元に向けることができ、これによりスピーカ部とマイク部との両方の指向性を確保することができる。
【０００９】
請求項２に記載の発明は、図１〜図５に示すように、前記支持部材（５、１８）が、前記バンド（時計バンド３）に重なり合う帯状に形成され、その所定個所が支持軸（１０）によって前記バンドに回転可能に取り付けられていることを特徴とする請求項１に記載の腕装着型通信装置である。
この発明によれば、支持部材が支持軸によってバンドに回転可能に取り付けられているので、支持軸を中心に支持部材を回転させることにより、支持部材をバンドの長手方向に対し直交する方向とバンドの表面に対し重なる方向とに簡単に変位させることができ、これにより使い勝手の良いものを得ることができるほか、特に支持部材がバンドに重なり合う帯状に形成されているので、携帯時に支持部材をバンドに重ね合わせることにより、支持部材が邪魔にならずに良好に携帯することができる。
【００１０】
請求項３に記載の発明は、図１〜図５に示すように、機器本体（腕時計本体１）と、この機器本体を腕（２）に装着するためのバンド（時計バンド３）と、このバンドの所定個所（バンド止め具４）に支持軸（１０）によって前記バンドの面方向に回転可能に取り付けられ、且つ前記バンドに重なり合う帯状に形成された支持部材（５、１８）と、この支持部材の一端部に設けられたスピーカ部（１１）と、前記支持部材の他端部に設けられたマイク部（１２）と、前記支持部材の少なくとも一端部を前記バンドに係脱可能に係止するロック部材（ロック釦１３）とを備えたことを特徴する腕装着型通信装置である。
【００１１】
この発明によれば、支持部材が支持軸によってバンドに回転可能に取り付けられているので、請求項２に記載の発明と同様、支持部材をバンドの長手方向に対し直交する方向とバンドの表面に対し重なる方向とに簡単に回転させて変位させることができ、このため請求項１に記載の発明と同様、スピーカ部の放音方向を耳に向け、且つマイク部の集音方向を口元に向けることができるので、スピーカ部とマイク部との両方の指向性を確保できるほか、特に支持部材をバンドに重ね合わせると、支持部材の少なくとも一端部をロック部材によってバンドに係脱可能に係止させることができるので、支持部材が邪魔にならず、より一層、良好に携帯することができる。例えば、ロック部材が支持部材の両端部に設けられていれば、スピーカ部を耳に近づけ且つマイク部を口元に近づけ易くするために支持部材を長く形成しても、支持部材をバンドに確実に密着させて固定することができるので、より一層、携帯性の良いものを得ることができる。
【００１２】
請求項４に記載の発明は、図１〜図５に示すように、前記支持部材（５、１８）の一端部に設けられた前記スピーカ部（１１）が前記支持部材の長手方向に沿う先端方向に向けて設けられ、前記支持部材の他端部に設けられたマイク部（１２）が前記支持部材の表面に対しほぼ垂直方向に向けて設けられていることを特徴とする請求項３に記載の腕装着型通信装置である。
この発明によれば、請求項１に記載の発明と同様、支持部材をバンドの長手方向に対し直交する方向に向けて回転させると、機器本体をバンドによって腕に取り付けた状態で支持部材のマイク部を口元側に近づけても、スピーカ部を耳に向けて近づけることができ、このためスピーカ部の放音方向を確実に耳に向け、且つマイク部の集音方向を確実に口元に向けることができるので、より一層、スピーカ部とマイク部との両方の指向性を確保することができる。
【００１３】
請求項５に記載の発明は、図６〜図９に示すように、少なくとも時計機能部を有する機器本体（腕時計本体１）と、この機器本体を腕（２）に装着するためのバンド（時計バンド３）と、前記機器本体を前記バンドによって前記腕に装着した状態のときに、その腕を挟んで前記機器本体と反対側に位置する前記バンドの所定個所（バンド止め具４）に設けられたキー入力部（２３）を有する通信部（２０、３０）と、この通信部にヒンジ部（２２、３２）によって開閉可能に取り付けられた表示部（２５）を有する通信蓋（２１、３１）と、前記通信部における前記ヒンジ部と反対側に位置する個所に設けられたマイク部（２４）と、前記通信蓋における前記ヒンジ部と反対側に位置する個所に設けられたスピーカ部（２６）とを備えたことを特徴する腕装着型通信装置である。
【００１４】
この発明によれば、機器本体に時計機能部が設けられているので、通常の腕時計と同様、腕に装着して使用することができるほか、特に腕に装着して通信する際には、ヒンジ部を中心に通信蓋を通信部に対して開くと、通信部のキー入力および通信蓋の表示部を露呈させることができ、これにより表示部を見ながらキー入力部を操作することができる。また、通信部におけるヒンジ部と反対側に位置する個所にマイク部が設けられ、通信蓋におけるヒンジ部と反対側に位置する個所にスピーカ部が設けられているので、マイク部とスピーカ部とを十分に離すことができ、これによりマイク部のハウリングを防ぐことができる。また、機器本体を手の甲側に向けて腕に取り付ければ、通信部が手の掌側に配置されるので、腕を不自然に曲げずに、手の掌を耳に当てがう自然な状態で、スピーカ部の放音方向を耳に向け、且つマイク部の集音方向を口元に向けることができ、これによりスピーカ部とマイク部との両方の指向性を確保することができる。
【００１５】
請求項６に記載の発明は、図６および図７に示すように、前記通信蓋（２１）が前記ヒンジ部（２２）によって前記バンド（時計バンド３）の長手方向に対し直交する方向に向けて開閉することを特徴する請求項５に記載の腕装着型通信装置である。
この発明によれば、請求項５に記載の発明と同様、機器本体を手の甲側に向けて腕に取り付ければ、通信部が手の掌側に配置されると共に、通信蓋がバンドの長手方向に対し直交する方向に向けて開くので、手の掌を耳に当てがうと、スピーカ部の放音方向を耳に向け、且つマイク部の集音方向を口元に向けることができ、このため腕を不自然に曲げる必要がなく、自然な状態で通信を行うことができ、より一層、使い勝手の良いものを得ることができる。
【００１６】
請求項７に記載の発明は、図６〜図９に示すように、前記キー入力部（２３）が前記バンド（時計バンド３）の長手方向に対し直交する方向に向けて配置され、前記表示部（２５）が前記バンドの長手方向に対し直交する方向に向けて情報を表示することを特徴とする請求項５に記載の腕装着型通信装置である。
この発明によれば、請求項５に記載の発明と同様、機器本体を手の甲側に向け、通信部を手の掌側に向けて腕に取り付け、この状態で通信蓋を通信部に対して開くと、キー入力部がバンドの長手方向に対し直交する方向に向けて配置されると共に、表示部がバンドの長手方向に対し直交する方向に向けて情報を表示するので、機器本体が装着された腕を使用者自身の前に曲げて配置し、且つ手の掌を上に向けることにより、容易に表示部を見ながら良好にキー入力部を操作することができ、これにより操作性の良いものを得ることができる。
【００１７】
請求項８に記載の発明は、図１０〜図１６に示すように、少なくとも通信機能部およびキー入力部（４４）を有する機器本体（腕時計本体１）と、この機器本体を腕（２）に装着するためのバンド（時計バンド３）と、前記機器本体にヒンジ部（４１）によって前記バンドの長手方向に対し直交する方向に向けて開閉可能に取り付けられ、且つ前記機器本体に対面する表示部（第２表示部４３）を有する蓋体（４０、５０）と、前記蓋体における前記ヒンジ部と反対側に位置する個所に設けられたスピーカ部（４５）と、前記機器本体と前記蓋体との一方に前記スピーカ部から離れて設けられたマイク部（４６）とを備えたことを特徴する腕装着型通信装置である。
【００１８】
この発明によれば、機器本体をバンドによって腕に装着して通信する際に、ヒンジ部を中心に蓋体を機器本体に対して開くと、機器本体のキー入力および蓋体の表示部を露呈させることができ、これにより表示部を見ながらキー入力部を操作することができる。また、蓋体がバンドの長手方向に対し直交する方向に向けて開くので、機器本体を手の掌側に向けて腕に装着すれば、腕を不自然に曲げる必要がなく、手の掌を耳に当てがう自然な状態で、スピーカ部の放音方向を耳に向け、且つマイク部の集音方向を口元に向けることができる。このときには、蓋体におけるヒンジ部と反対側に位置する個所にスピーカ部が設けられ、このスピーカ部から離れた個所にマイク部が設けられているので、マイク部とスピーカ部とを十分に離すことができ、これによりマイク部のハウリングを防ぐことができると共に、スピーカ部とマイク部との両方の指向性を確保することができる。
【００１９】
請求項９に記載の発明は、図１２および図１３に示すように、前記マイク部（４６）が、前記機器本体（腕時計本体１）における前記ヒンジ部（４１）と反対側に位置する個所に設けられていることを特徴とする請求項８に記載の腕装着型通信装置である。
この発明によれば、マイク部を機器本体におけるヒンジ部と反対側に位置する個所に設けることにより、請求項８に記載の発明よりも、マイク部をスピーカ部から遠くに離すことができ、このためマイク部のハウリングを確実に防ぐことができ、これにより良好に通話をすることができる。
【００２０】
請求項１０に記載の発明は、図１４〜図１６に示すように、前記蓋体（４０、５０）に、前記スピーカ部（４５）を搭載するスピーカ搭載部材（５１、５５）が前記ヒンジ部（４１）と反対側に向けて突出可能に設けられていることを特徴とする請求項８に記載の腕装着型通信装置である。
この発明によれば、スピーカ部を搭載するスピーカ搭載部材が蓋体からヒンジ部と反対側に向けて突出するので、請求項９に記載の発明よりも、更にスピーカ部とマイク部とを離すことができ、これによりマイク部のハウリングを、より一層、確実に防ぐことができるほか、特にスピーカ部とマイク部とが遠く離れるので、スピーカ部を耳に、マイク部を口元に近づけやすくなり、これによってもスピーカ部とマイク部との両方の指向性を向上させることができる。
【００２１】
請求項１１に記載の発明は、図１０〜図１６に示すように、前記キー入力部（４４）が前記バンド（時計バンド３）の長手方向に対し直交する方向に向けて配置され、前記表示部（第２表示部４３）が前記バンドの長手方向に対し直交する方向に向けて情報を表示することを特徴とする請求項８に記載の腕装着型通信装置である。
この発明によれば、請求項８に記載の発明と同様、機器本体を手の掌側に向けて腕に取り付け、この状態で通信蓋をバンドの長手方向に対し直交する方向に向けて開くと、キー入力部がバンドの長手方向に対し直交する方向に向けて配置されると共に、表示部がバンドの長手方向に対し直交する方向に向けて情報を表示するので、機器本体が装着された腕を使用者自身の前に曲げて配置し、且つ手の掌を上に向けることにより、容易に表示部を見ながら良好にキー入力部を操作することができ、これによっても使い勝手の良いものを得ることができる。
【００２２】
請求項１２に記載の発明は、図１〜図５に示すように、前記キー入力部（９Ａ、９Ｂ）が前記バンド（時計バンド３）および前記支持部材（５、１８）のいずれか一方に配置されていることを特徴とする請求項１〜４のいずれかに記載の腕装着型通信装置である。
この発明によれば、キー入力部（９Ａ、９Ｂ）が前記バンドおよび前記支持部材のいずれか一方に配置されているので、通話または電子メールなどの通信にあたり、支持部材をバンドから取り外した直後に、または支持部材をバンドに重ね合わせた状態で、容易に表示部を見ながら良好にキー入力部を操作することができ、これによっても使い勝手の良いものを得ることができる。
【００２３】
【発明の実施の形態】
［第１実施形態］
以下、図１〜図４を参照して、この発明の腕装着型通信装置を腕時計型通信装置に適用した第１実施形態について説明する。
図１はこの発明の腕時計型通信装置を示した斜視図、図２はその後方から見た斜視図、図３は図１の腕時計型通信装置を上方から見た側面図、図４はその使用状態を示した図である。この腕時計型通信装置は、腕時計本体１と、この腕時計本体１を腕２に取り付けるための時計バンド３と、この時計バンド３の両端を係脱可能に連結するバンド止め具４と、このバンド止め具４に回転可能に取り付けられた支持部材５とを備えている。
【００２４】
腕時計本体１は、図１に示すように、時計ケース６を備えている。この時計ケース６内には、時刻や通信情報などの各種の情報を電気光学的に適宜表示する液晶表示素子やＥＬ素子（エレクトロルミネッセンス素子）などの平面型表示素子からなる表示部７が設けられているほか、時計機能や通信機能に必要な各種の電子部品、例えば時計回路や送受信回路などを構成する電子部品（図示せず）が組み込まれている。また、時計ケース６の３時側および９時側の側面には、時刻修正やモード切り替えなどを行う時計用の複数の押釦スイッチ８が設けられており、この時計ケース６の６時側に位置する上面には、通信用の複数の入力スイッチ９が設けられている。これら入力スイッチ９は、回転操作および押圧操作を行うことにより、電話番号や電子メールなどの通信情報が入力できるように構成されている。
【００２５】
時計バンド３は、ウレタン樹脂などの弾性を有する合成樹脂からなり、図１および図２に示すように、その各一端部が時計ケース６の１２時側と６時側の各端部に取り付けられていると共に、時計バンド３の各他端部がバンド止め具４によって係脱可能に連結されるように構成されている。このバンド止め具４は、腕時計本体１を時計バンド３で腕２に装着した状態のときに、その腕２を挟んで腕時計本体１と反対側に位置する個所に設けられている。また、このバンド止め具４には、図２および図３に示すように、支持部材５が支持軸１０によって回転可能に取り付けられている。
【００２６】
すなわち、この支持部材５は、時計バンド３と同じ材料、つまりウレタン樹脂などの弾性を有する合成樹脂からなり、時計バンド３に重なり合う帯状に形成され、支持軸１０を中心に時計バンド３の長手方向に対し直交する方向と、時計バンド３の表面に重なる方向とに向けて回転するように構成されている。この支持部材５の一端部には、図１および図２に示すように、スピーカ部１１が支持部材５の長手方向に沿う先端方向に向けて設けられており、支持部材５の他端部には、図２に示すように、マイク部１２が支持部材５の表面に対しほぼ垂直方向に向けて設けられている。
【００２７】
スピーカ部１１は、図１および図２に示すように、横向きの放音筒部１１ａ内にスピーカ（図示せず）を設けた構造になっている。すなわち、放音筒部１１ａは、支持部材５の一端部から突出して設けられ、この突出した先端部分に放音孔１１ｂが支持部材５の一端部の先端側に向けて設けられている。この放音筒部１１ａの内部には、スピーカが放音孔１１ｂに向けて設けられている。また、マイク部１２は、図２に２点鎖線で示すように、縦向きの集音筒部１２ａ内にマイクロホン（図示せず）を設けた構造になっている。すなわち、集音筒部１２ａは、支持部材５の表面に対し垂直方向に設けられ、その上端部が支持部材５の上方に突出し、この突出した上端部に集音孔１２ｂが設けられている。この集音筒部１２ａの内部には、マイクロホンが集音孔１２ａに向けて設けられている。
【００２８】
この場合、スピーカ部１１のスピーカおよびマイク部１２のマイクロホンは、支持部材５、支持軸１０、および時計バンド３の各内部に埋め込まれたリード線（図示せず）によって腕時計本体１内の電子回路（図示せず）と電気的に接続されている。これにより、スピーカ部１１は、腕時計本体１からの電気信号に基づいてスピーカが音声などの音を発生し、この発生した音を放音筒部１１ａの放音孔１１ｂから外部に放音する。マイク部１２は、外部の音声などの音を集音筒部１２ａの集音孔１２ｂから取り込み、この取り込んだ音をマイクロホンで電気信号に変換して腕時計本体１に出力する。
【００２９】
また、支持部材５の両端部には、図２および図３に示すように、ロック釦１３がそれぞれ設けられている。これらロック釦１３は、時計バンド３に設けられた係止部（図示せず）に係脱可能に係合することにより、支持部材５を時計バンド３の表面に密着させて固定するように構成されている。また、このロック釦１３は、図３に示すように腕時計本体１が装着されていない手の親指１６と人指し指１７とで同時に押圧操作されると、時計バンド３の係止部から離脱して時計バンド３に対する支持部材５のロックを解除するように構成されている。
【００３０】
次に、このような腕時計型通信装置を使用する場合について説明する。
この場合には、通常の腕時計と同様、腕時計本体１および時計バンド３を腕２に当てがい、この状態でバンド止め具４によって時計バンド３の各他端部を連結することにより、腕時計本体１を腕２に取り付ける。このときには、腕時計本体１を手の甲側に向けて腕２に取り付け、バンド止め具４を手の掌側に向けて腕２に取り付ける。これにより、通常の腕時計として使用することができると共に、携帯電話としても使用することができる。すなわち、この状態では、腕時計本体１の表示部７に時刻などの情報が表示されるので、通常の腕時計と同様に時刻を知ることができる。
【００３１】
また、携帯電話として通信する場合には、腕時計本体１の表示部７を見ながら通信用の入力スイッチ９を操作して通話相手にダイヤルすると、入力スイッチ９の操作に応じて表示部７に電話番号などの通信情報が表示され、通信相手を呼び出すことができる。そして、図３に示すように、腕時計本体１が装着されていない手で支持部材５のロック釦１３を押圧操作する。すなわち、腕時計本体１が装着された手と反対側の手の親指１６と人指し指１７とで支持部材５の両端に設けられたロック釦１３を同時に押圧する。すると、各ロック釦１３が時計バンド３の各係止部（図示せず）から離脱して時計バンド３に対する支持部材５のロックが解除される。これにより、支持部材５が支持軸１０を中心に回転可能な状態になる。
【００３２】
この状態で、図２に２点鎖線で示すように、支持部材５の支持軸１０を中心に支持部材５を回転させて時計バンド３の長手方向に対しほぼ直交する方向に向けて配置する。このときには、スピーカ部１１を手の掌側に配置し、マイク部１２を手の掌から離れた部分に配置する。この状態で、図４に示すように、腕時計本体１が装着された手の掌を耳１４に当てがうと、スピーカ部１１の放音方向が耳１４側に向き、且つマイク部１２の集音方向が口元１５側に向く。このため、腕２を不自然に曲げる必要がなく、自然な状態で通信を行うことができる。なお、通信が終了した後は、支持軸１０を中心に支持部材５を回転させて時計バンド３に重ね合わせ、この状態でロック釦１３を押圧して時計バンド３の各係止部に係合させる。これにより、支持部材５が時計バンド３の表面に密着して重なり合った状態で固定されるので、支持部材５が邪魔にならず、良好に携帯することができる。
【００３３】
このように、この腕時計型通信装置によれば、時計バンド３のバンド止め具４に支持部材５を支持軸１０によって回転可能に取り付け、この支持部材５の一端部にスピーカ部１１を設けると共に、支持部材５の他端部にマイク部１２を設けたので、腕時計本体１を時計バンド３によって腕２に取り付けた状態でも、支持部材５を時計バンド３の長手方向に対し直交する方向に向けて回転させることにより、支持部材５のスピーカ部１１を耳１４側に向け、且つ支持部材５のマイク部１２を口元１５に向け易くなる。
【００３４】
特に、スピーカ部１１は、支持部材５の一端部にその支持部材５の長手方向に沿う先端側に向けて設けられ、マイク部１２は支持部材５の他端部にその支持部材５の表面に対しほぼ垂直方向に向けて設けられているので、マイク部１２を口元１５に近づけても、スピーカ部１１の放音方向を確実に耳１４に向けることができ、このため支持部材５の長さが長くも、また短くてもスピーカ部１１とマイク部１２との両方の指向性を十分に確保することができる。この場合、支持部材５の長さが長く形成されていれば、スピーカ部１１とマイク部１２を十分に離すことができるので、マイク部１２がスピーカ部１１の音を拾ってしまうという所謂ハウリングをも確実に防ぐことができる
【００３５】
また、腕時計本体１を時計バンド３によって腕２に装着し、この状態で支持軸１０を中心に支持部材５を回転させて時計バンド３の長手方向に対し直交する方向に向けて配置したときに、その腕２を挟んで支持部材５が腕時計本体１と反対側に位置する個所に配置されるので、支持部材５を手の掌側に向けて腕２に取り付ければ、手の掌を耳１４に当てがうだけで、スピーカ部１１の放音方向を耳１４に向け、且つマイク部１２の集音方向を口元１５に向けることができ、このため腕２を不自然に曲げる必要がなく、自然な状態で通話ができる。
【００３６】
また、この支持部材５は、時計バンド３のバンド止め具４に支持軸１０によって回転可能に取り付けられているので、支持軸１０を中心に支持部材５を回転させることにより、支持部材５を時計バンド３の長手方向に対し直交する方向と時計バンド３の表面に対し重なり合う方向とのいずれかに簡単に変位させることができるほか、特に右腕に装着して使用する場合と、左腕に装着して使用する場合とで、支持部材５の回転方向を逆転させて、時計バンド３に対するスピーカ部１１とマイク部１２との位置を逆転させることにより、右腕と左腕とのいずれかに装着して使用する場合においても、スピーカ部１１とマイク部１２との両方の指向性を十分に確保することができ、このため使い勝手の良いものを得ることができる。
【００３７】
この場合、支持部材５は、時計バンド３に重なり合う帯状に形成されているので、支持軸１０を中心に支持部材５を回転させて時計バンド３に密着させて重ね合わせることにより、支持部材５が邪魔にならずに良好に携帯することができる。特に、この支持部材５の両端部にロック釦１３がそれぞれ設けられているので、支持部材５を時計バンド３に重ね合わせた状態で、ロック釦１３によって支持部材５の両端部を時計バンド３に係脱可能に係止させることができ、このため支持部材５を長く形成しても、時計バンド３に支持部材５を確実に密着させて固定することができるので、支持部材５が邪魔にならず、より一層、良好に携帯することができる。
【００３８】
なお、上記第１実施形態では、支持部材５のほぼ中間部分をバンド止め具４に支持軸１０によって回転可能に取り付けると共に、支持部材５の両端部にロック釦１３を設けた場合について述べたが、これに限らず、例えば図５に示すように、マイク部１２が設けられた支持部材１８の端部をバンド止め具４に支持軸１０によって回転可能に取り付けた構造でも良い。この場合には、支持部材１８の両端部にロック釦１３を設ける必要がなく、スピーカ部１１側に位置する支持部材１８の端部のみにロック釦１３を設ければ良い。このような構造では、支持部材１８を時計バンド３に重ね合わせると、マイク部１２側の支持部材１８の端部が支持軸１０によってバンド止め具４に密着しているので、ロック釦１３で支持部材１８のスピーカ部１１側の端部のみを固定するだけで良い。
【００３９】
また、図１〜図５に１点鎖線で示すように、電話番号、電子メールなどの通信情報を入力するための通信用の複数の入力スイッチ９に代えて、キー入力部９Ａ、９Ｂを時計バンド３および支持部材５（または１８）のいずれかに配置するように構成しても良い。この場合には、キー入力部９Ａ、９Ｂが時計バンド３および支持部材５（または１８）のいずれか一方に配置されているので、通話または電子メールなどの通信にあたり、支持部材５（または１８）を時計バンド３から取り外した直後に、または支持部材５（または１８）を時計バンド３に重ね合わせた状態で、容易に表示部７を見ながら良好にキー入力部９Ａ、９Ｂを操作することができ、これによっても使い勝手の良いものを得ることができる。
【００４０】
［第２実施形態］
次に、図６および図７を参照して、この発明を腕時計型通信装置に適用した第２実施形態について説明する。なお、図１〜図４に示された第１実施形態と同一部分には同一符号を付して説明する。
この腕時計型通信装置は、腕時計本体１を腕２に取り付けるための時計バンド３のバンド止め具４に通信部２０を設け、この通信部２０に通信蓋２１をヒンジ部２２によって開閉可能に取り付けた構造で、これ以外は第１実施形態とほぼ同じ構造になっている。この場合、ヒンジ部２２は、時計バンド３の長手方向に沿うバンド止め具４の端部（図７では上辺部）に設けられ、これにより通信蓋２１を時計バンド３の長手方向に対し直交する方向に向けて開閉させるように構成されている。
【００４１】
通信部２０は、キー入力部２３およびマイク部２４を備え、バンド止め具４の外面に設けられている。キー入力部２３は、電源キー、通話キー、文字キー、およびファンクションキーなどの通信機能に必要な各種のキーを備え、これらキーが時計バンド３の長手方向に対し直交する方向に向いて配置されている。また、マイク部２４は、通信部２０におけるヒンジ部２２と反対側の端部に設けられている。通信蓋２１は、ヒンジ部２２によって通信部２０に回動可能に取り付けられ、閉じたときに通信部２０に重なり合い、開いたときに時計バンド３の長手方向に対し直交する方向に突出するように構成されている。
【００４２】
この場合、通信部２０に対向する通信蓋２１の内面には、図７に示すように、表示部２５およびスピーカ部２６が設けられている。表示部２５は、腕時計本体１の表示部７と同様、液晶表示素子やＥＬ素子（エレクトロルミネッセンス素子）などからなり、電話番号や通話情報などの通信情報を時計バンド３の長手方向に対し直交する方向の向き、つまりキー入力部２３のキーの向きと同じ向きで表示するように構成されている。スピーカ部２６は、通信蓋２１におけるヒンジ部２２と反対側の端部に設けられ、通信蓋２１が閉じたときにマイク部２４に対応し、通信蓋２１が開いたときにヒンジ部２２を挟んでマイク部２４から最も離れるように構成されている。また、この通信蓋２１には、アンテナ２７が時計バンド３の長手方向に対して直交する方向に向けて出没可能に収納されている。
【００４３】
次に、このような腕時計型通信装置を使用する場合について説明する。
この場合には、第１実施形態と同様、腕時計本体１および時計バンド３を腕２に当てがい、この状態でバンド止め具４によって時計バンド３の各他端部を連結することにより、腕時計本体１を腕２に取り付ける。このときには、腕時計本体１を手の甲側に向けて腕２に取り付けると、バンド止め具４、通信部２０、および通信蓋２１が手の掌側に向いて腕２に取り付けられる。これにより、通常の腕時計として使用することができると共に、携帯電話としても使用することができる。すなわち、この状態では、腕時計本体１の表示部７に時刻などの情報が表示されるので、通常の腕時計と同様に時刻を知ることができる。
【００４４】
また、携帯電話として通信する場合には、まず、バンド止め具４の通信部２０に設けられたヒンジ部２２を中心に通信蓋２１を回動させて開く。このときには、図７に示すように、通信蓋２１が時計バンド３の長手方向に対し直交する方向に突出し、通信部２０のキー入力部２３とマイク部２４、および通信蓋２１の表示部２５とスピーカ部２６が露呈する。この状態で、腕時計本体１が装着された腕２を使用者自身の前に横向きに配置して手の掌を上に向けると、キー入力部２３および表示部２５が横向き状態になると共に、キー入力部２３の各キーおよび表示部２５に表示されている電話番号の数値または電子メールなどの文字、数値、記号といった情報も横向き状態になるので、キー入力部２３および表示部２５が使用者から見やすくなる。そして、アンテナ２７を通信蓋２１から引き出し、通信蓋２１の表示部２５を見ながら通信部２０のキー入力部２３を操作して通話相手にダイヤルすると、キー入力部２３の操作に応じて表示部２５に電話番号などの通信情報が表示され、通信相手を呼び出すことができる。
【００４５】
この状態で、腕時計本体１が装着された腕２の掌を耳１４に近づけると、通信蓋２１のスピーカ部２６の放音方向が耳１４に向き、且つ通信部２０のマイク部２４の集音方向が口元１５に向く。このため、腕２を不自然に曲げる必要がなく、自然な状態で通話を行うことができる。なお、通信が終了した後は、アンテナ２７を通信蓋２１内に収納させた上、ヒンジ部２２を中心に通信蓋２１を回動させて閉じる。これにより、表示部２５とキー入力部２３とが互いに対面した状態で通信蓋２１が通信部２０に重なり合う。このため、通信蓋２１が邪魔にならないばかりか、キー入力部２３および表示部２５を傷付けたり破損したりせずに、良好に携帯することができる。
【００４６】
このように、この腕時計型通信装置によれば、腕時計本体１を腕２に装着する時計バンド３のバンド止め具４に、キー入力部２３を有する通信部２０を設け、この通信部２０に表示部２５を有する通信蓋２１をヒンジ部２２によって開閉可能に取り付け、通信部２０におけるヒンジ部２２と反対側の端部にマイク部２４を設け、通信蓋２１におけるヒンジ部２２と反対側の端部にスピーカ部２６を設けたので、通信蓋２１を開いて使用するときに、マイク部２４とスピーカ部２６とを十分に離すことができ、これによりマイク部２４のハウリングを防ぐことができると共に、スピーカ部２６を耳１４側に向け、且つマイク部２４を口元１５側に向けることができ、これによりスピーカ部２６とマイク部２４との両方の指向性を確保できる。
【００４７】
また、この腕時計型通信装置によれば、ヒンジ部２２が時計バンド３の長手方向に沿う通信部２０の端部に設けられ、これにより通信蓋２１が時計バンド３の長手方向に対し直交する方向に向けて開閉するので、第１実施形態と同様、腕時計本体１を手の甲側に向けて腕２に取り付ければ、通信部２０が手の掌側に配置され、この状態で通信蓋２１を開いて手の掌を耳１４に近づけると、スピーカ部２６の放音方向を耳１４に向けることができ、且つマイク部２４の集音方向を口元１５に向けることができ、このため腕２を不自然に曲げる必要がなく、手の掌を耳１４に近づける自然な状態で通信を行うことができ、これによっても使い勝手の良いものを得ることができる。
【００４８】
［第３実施形態］
次に、図８および図９を参照して、この発明を腕時計型通信装置に適用した第３実施形態について説明する。この場合には、図６および図７に示された第２実施形態と同一部分に同一符号を付して説明する。
この腕時計型通信装置は、通信蓋３１が時計バンド３の長手方向に向けて開閉するように、バンド止め具４に設けられた通信部３０に通信蓋３１をヒンジ部３２によって回動可能に取り付けた構造で、これ以外は第２実施形態とほぼ同じ構造になっている。すなわち、ヒンジ部３２は、時計バンド３の長手方向に対し直交するバンド止め具４の端部（図９では左辺部）に設けられ、これにより通信蓋３１が時計バンド３の長手方向に沿って開閉するように構成されている。
【００４９】
通信部３０には、第２実施形態と同様、キー入力部２３およびマイク部２４が設けられている。この場合、キー入力部２３は、第２実施形態と同様、電源キー、通話キー、文字キー、およびファンクションキーなどの通信機能に必要な各種のキーを備え、これらキーが時計バンド３の長手方向に対し直交する方向に向いて配置されている。また、マイク部２４は、通信部３０におけるヒンジ部３２と反対側の端部（図９では右端部）に設けられている。通信蓋３１は、ヒンジ部３２によって通信部３０に回動可能に取り付けられ、閉じたときに通信部３０に重なり合い、開いたときに時計バンド３の長手方向に重なり合うように構成されている。
【００５０】
この通信蓋３１にも、表示部２５およびスピーカ部２６が通信部３０に対向して設けられている。この表示部２５も、第２実施形態と同様、液晶表示素子やＥＬ素子（エレクトロルミネッセンス素子）などからなり、電話番号や通話情報などの通信情報を時計バンド３の長手方向に対し直交する方向の向き、つまりキー入力部２３のキーの向きと同じ向きで表示するように構成されている。スピーカ部２６は、通信蓋３１におけるヒンジ部３２と反対側の端部に設けられ、通信蓋３１を閉じたときに、マイク部２４に対応し、通信蓋３１を開いたときに、マイク部２４から最も離れるように構成されている。また、この通信蓋３１にも、アンテナ２７が時計バンド３の長手方向に沿って出没可能に収納されている。
【００５１】
このような腕時計型通信装置では、第２実施形態と同様の作用効果があるほか、特にバンド止め具４に設けられた通信部３０にヒンジ部３２によって回動可能に取り付けられた通信蓋３１が時計バンド３の長手方向に向けて開閉するように構成されているので、腕時計本体１を腕２に取り付けて使用するときに、通信蓋３１を開くと、この通信蓋３１が時計バンド３に重なって配置されるが、腕時計本体１が装着された腕２を使用者自身の前に横向きに配置することにより、キー入力部２３と表示部２５とが縦方向に配列されても、キー入力部２３の各キーおよび表示部２５に表示される情報は、第２実施形態と同様、横向き状態になるので、キー入力部２３および表示部２５が使用者から見やすくなると共に、操作しやすくなる。
【００５２】
なお、上記第２、第３実施形態では、通信部２０または３０のキー入力部２３が時計バンド３の長手方向に対し直交する方向に向けて配置され、通信蓋２１または３１の表示部２５が時計バンド３の長手方向に対し直交する方向に向けて情報を表示するように構成した場合について述べてが、これに限らず、例えば通信部２０または３０のキー入力部２３を時計バンド３の長手方向に沿う方向に向けて配置し、通信蓋２１または３１の表示部２５を時計バンド３の長手方向に沿う方向に向けて情報表示するように構成しても良い。この場合には、通信部２０または３０と通信蓋２１または３１とを手の掌側に向けて腕２に装着し、この腕２を使用者自身の前に縦向きに突き出すように配置すると、第２、第３実施形態と同様、キー入力部２３の各キーおよび表示部２５に表示される情報は横向き状態になるので、第２、第３実施形態と同様、キー入力部２３および表示部２５が使用者から見やすく、且つ操作しやすくなる。
【００５３】
［第４実施形態］
次に、図１０および図１１を参照して、この発明を腕時計型通信装置に適用した第４実施形態について説明する。この場合には、図１〜図４に示された第１実施形態と同一部分に同一符号を付して説明する。
この腕時計型通信装置は、腕時計本体１に時計機能のほかに、通信機能の全てを搭載した構造になっている。すなわち、この腕時計本体１は、図１０および図１１に示すように、時計ケース６の上部に蓋体４０をヒンジ部４１によって開閉可能に取り付け、この蓋体４０の表裏面側に時計用の第１表示部４２と通信用の第２表示部４３とをそれぞれ設け、時計ケース６内に時計回路と通信回路とを構成する各種の電子部品（図示せず）を組み込むと共にキー入力部４４を蓋体４０に対向させて設けた構成になっている。
【００５４】
この場合、ヒンジ部４１は、図１１に示すように、時計ケース６の３時側の上部に時計バンド３の長手方向に沿って設けられ、これにより蓋体４０が時計バンド３の長手方向に対し直交する方向に向けて開閉するように構成されている。この蓋体４０は、図１０および図１１に示すように、ほぼ円板状に形成されており、その表面側には、図１０に示すように、時計用の第１表示部４２が時計ガラス４７で覆われて設けられている。また、この蓋体４０の裏面側つまり時計ケース６に対面する蓋体４０の内面側には、図１１に示すように、通信用の第２表示部４３、スピーカ部４５、およびマイク部４６が設けられている。
【００５５】
第１、第２表示部４２、４３は、いずれも液晶表示素子やＥＬ素子（エレクトロルミネッセンス素子）などの平面型表示素子からなり、第１表示部４２は、通常の腕時計と同様、時刻などの情報を時計バンド３の長手方向に対し直交する方向の向きで表示するように構成されている。第２表示部４３は、電話番号や通話情報などの通信情報を時計バンド３の長手方向に沿う方向の向き、つまり第１表示部４２と直交する方向の向きで表示するように構成されている。また、スピーカ部４５は、ヒンジ部４１から最も離れた蓋体４０の端部（図１１では上端部）に設けられており、マイク部４６は、ヒンジ部４１の近傍における蓋体４０の端部（図１１では下端部）に設けられている。
【００５６】
一方、時計ケース６内のキー入力部４４は、第２実施形態と同様、電源キー、通話キー、文字キー、およびファンクションキーなどの通信機能に必要な各種のキーを備え、これらキーが時計バンド３の長手方向に沿う向き、つまり蓋体４０の第２表示部４３の表示方向と同じ向きで配置されている。また、このキー入力部４４は、時計ケース６内に組み込まれて時計回路と通信回路とを構成する電子回路の回路基板（図示せず）と電気的に接続されており、この回路基板には、時計ケース６内からヒンジ部４１を介して蓋体４０に導かれた接続部材（図示せず）によって、第１、第２表示部４２、４３、スピーカ部４５、およびマイク部４６も電気的に接続されている。
【００５７】
このような腕時計型通信装置を使用する場合には、第１実施形態と同様、腕時計本体１および時計バンド３を腕２に当てがい、この状態でバンド止め具４によって時計バンド３の各他端部を連結することにより、腕時計本体１を腕２に取り付ける。これにより、通常の腕時計として使用することができると共に、携帯電話としても使用することができる。すなわち、図１０に示すように、蓋体４０を時計ケース６上に重ね合わせて閉じると、蓋体４０の表面側に第１表示部４２が露呈するので、この第１表示部４２に表示された時刻などの情報を視認することができ、これにより通常の腕時計と同様に時刻を知ることができる。
【００５８】
また、携帯電話として通信する場合には、時計ケース６に設けられたヒンジ部４１を中心に蓋体４０を回動させて開く。このときには、図１１に示すように、蓋体４０が時計バンド３の長手方向に対し直交する方向に突出し、時計ケース６内のキー入力部４４、および蓋体４０の第２表示部４３、スピーカ部４５、マイク部４６が露呈する。この状態で、腕時計本体１が装着された腕２を使用者自身の前に縦向きに突き出して配置すると、キー入力部４４および第２表示部４３が縦向きに配列されるが、キー入力部４４の各キーおよび第２表示部４３に表示される情報は使用者から見て横向き状態になるので、キー入力部４４および第２表示部４３が使用者から見やすく、且つ操作しやすくなる。これにより、蓋体４０の第２表示部４３を見ながら時計ケース６のキー入力部４４を操作して通話相手にダイヤルすると、キー入力部４４の操作に応じて第２表示部４３に電話番号などの通信情報が表示され、通信相手を呼び出すことができる。
【００５９】
この場合には、腕時計本体１を手の掌側に向けて腕２に装着し（図１２参照）、この腕２の手の掌を耳１４に近づけると、蓋体４０のスピーカ部４５が耳１４側に向き、且つ蓋体４０のマイク部４６が口元１５側に向く。これにより、腕２を不自然に曲げる必要がなく、自然な状態で通話を行うことができる。なお、通信が終了した後は、ヒンジ部４１を中心に蓋体４０を回動させて閉じると、第２表示部４３とキー入力部４４とが互いに対面した状態で蓋体４０が時計ケース６の上部に重なり合う。このため、蓋体４０が邪魔にならないばかりか、キー入力部４４および第２表示部４３を傷付けたり破損したりせずに、良好に携帯することができる。
【００６０】
このように、この腕時計型通信装置においても、腕時計本体１を時計バンド３によって腕２に装着して通信する際に、ヒンジ部４１を中心に蓋体４０を時計ケース６に対し開くと、時計ケース６のキー入力部４４および蓋体４０の第２表示部４３が露呈するので、この第２表示部４３を見ながらキー入力部４４を操作することができる。また、蓋体４０が時計バンド３の長手方向に対し直交する方向に向けて開くので、腕時計本体１を手の掌側に向けて腕２に装着すれば、腕２を不自然に曲げる必要がなく、手の掌を耳１４に当てがう自然な状態で、スピーカ部４５の放音方向を耳１４に向け、且つマイク部４６の集音方向を口元１５に向けることができ、このためスピーカ部４５とマイク部４６との両方の指向性を確保することができ、良好に通信を行うことができる。
【００６１】
［第５実施形態］
次に、図１２および図１３を参照して、この発明を腕時計型通信装置に適用した第５実施形態について説明する。この場合には、図１０および図１１に示された第４実施形態と同一部分に同一符号を付して説明する。
この腕時計型通信装置は、腕時計本体１の時計ケース６にヒンジ部４１によって開閉可能に取り付けられた蓋体４０をほぼ矩形状に形成し、この蓋体４０にアンテナ４７を時計バンド３の長手方向に対し直交する方向に出没可能に設け、且つマイク部４６を時計ケース６に設けた構造で、これ以外は第４実施形態とほぼ同じ構造になっている。
【００６２】
この場合、マイク部４６は、ヒンジ部４１と反対側に位置する時計ケース６の端部（図１３では下端部）に設けられ、蓋体４０を閉じたときに、スピーカ部４５が対応し、蓋体４０を開いたときに、ヒンジ部４１を挟んでスピーカ部４５から最も離れるように構成されている。このマイク部４６も、時計ケース６内の回路基板（図示せず）に電気的に接続されており、アンテナ４７も第１、第２表示部４２、４３およびスピーカ部４５と共に接続部材（図示せず）によって時計ケース６内の回路基板（図示せず）に電気的に接続されている。
【００６３】
このような腕時計型通信装置においても、第４実施形態と同様の作用効果があるほか、特にスピーカ部４５がヒンジ部４１と反対側に位置する蓋体４０の端部（図１３では上端部）に設けられ、マイク部４６がヒンジ部４１と反対側に位置する時計ケース６の端部（図１３では下端部）に設けられているので、蓋体４０を開いたときに、スピーカ部４５とマイク部４６とを十分に離すことができ、これによりマイク部４６のハウリングを確実に防ぐことができ、良好に通話をすることができる。
【００６４】
［第６実施形態］
次に、図１４および図１５を参照して、この発明を腕時計型通信装置に適用した第６実施形態について説明する。この場合には、図１２および図１３に示された第５実施形態と同一部分に同一符号を付して説明する。
この腕時計型通信装置は、腕時計本体１の時計ケース６にヒンジ部４１によって開閉可能に取り付けられた蓋体５０をほぼ矩形状に形成し、この蓋体５０にスピーカ部４５を搭載するスピーカ搭載部材５１を出没可能に取り付けた構造で、これ以外は第５実施形態とほぼ同じ構造になっている。
【００６５】
この場合、ヒンジ部４１は、第５実施形態と同様、時計バンド３の長手方向に沿う時計ケース６の端部（図１４では上端部）に設けられている。蓋体５０は、図１４に示すように、ほぼ矩形状のケースで、その厚み方向における中間部にスリット状の収納部５２が左辺から上辺に亘って開放された状態で設けられている。また、この蓋体５０の表面側には、時計用の第１表示部４２が設けられており（図１２参照）、蓋体５０の裏面側には、通信用の第２表示部４３が設けられている。スピーカ搭載部材５１は、図１４に示すように、ほぼ平板状に形成され、図１５に示すように、蓋体５０の収納部５２内に収納された状態で、取付軸５３によって回転可能に蓋体５０に取り付けられている。
【００６６】
この場合、スピーカ搭載部材５１の端部、つまり図１５に示すようにスピーカ搭載部材５１が蓋体５０の収納部５２に収納された状態で、収納部５２の左端部における下部に位置するスピーカ搭載部材５１の端部には、収納部５２からスピーカ搭載部材５１を引き出すためのフック部５４が設けられている。また、このスピーカ搭載部材５１における取付軸５３と反対側の端部には、図１４に示すように、スピーカ部４５が設けられている。このスピーカ部４５は、スピーカ搭載部材５１に埋め込まれた接続リード（図示せず）が取付軸５３を介して蓋体５０内に導かれた上、第１、第２表示部４２、４３と共に接続部材（図示せず）によって時計ケース６内の回路基板（図示せず）に電気的に接続されている。
【００６７】
このような腕時計型通信装置によれば、第５実施形態と同様の作用効果があるほか、特に蓋体５０に収納部５２を設け、この収納部５２内にスピーカ搭載部材５１を取付軸５３によって回動可能に取り付け、このスピーカ搭載部材５１にスピーカ部４５を設けたので、時計ケース６に対し蓋体５０を開いて通信するときに、スピーカ搭載部材５１のフック部５４を指などで摘んで蓋体５０の取付軸５３を中心にスピーカ搭載部材５１を回転させることにより、スピーカ搭載部材５１を蓋体５０の収納部５２からヒンジ部４１と反対側に向けて突出させることができる。
【００６８】
このため、第５実施形態のものよりも、更にスピーカ部４５とマイク部４６とを離すことができ、これによりマイク部４６のハウリングを、より一層、確実に防ぐことができる。また、スピーカ部４５とマイク部４６とが第５実施形態のもよりもスピーカ搭載部材５１の長さだけ遠く離れるので、マイク部４６を口元１５に近づけても、より一層確実に、スピーカ部４５を耳１４に近づけることができ、これによりスピーカ部４５とマイク部４６との両方の指向性を向上させることができる。
【００６９】
［第７実施形態］
次に、図１６を参照して、この発明を腕時計型通信装置に適用した第７実施形態について説明する。この場合にも、図１２および図１３に示された第５実施形態と同一部分に同一符号を付して説明する。
この腕時計型通信装置は、腕時計本体１の時計ケース６にヒンジ部４１によって開閉可能に取り付けられた蓋体４０の端部に、スピーカ部４５を搭載するスピーカ搭載部材５５を補助ヒンジ部５６によって回動可能に取り付けた構造で、これ以外は第５実施形態とほぼ同じ構造になっている。この場合にも、時計ケース６のヒンジ部４１は、第５実施形態と同様、時計バンド３の長手方向に沿う時計ケース６の端部（図１４では上端部）に設けられている。
【００７０】
スピーカ搭載部材５５は、蓋体４０の内面つまり蓋体４０の第２表示部４３側に位置する内面に重なる大きさの平板状に形成され、その一端部が補助ヒンジ部５６によって回動可能に取り付けられている。すなわち、この補助ヒンジ部５６は、時計ケース６のヒンジ部４１と反対側に位置する蓋体４０の端部（図１６では上端部）に設けられている。これにより、スピーカ搭載部材５５は、補助ヒンジ部５６を中心に回動して閉じると、蓋体４０の内面に重なり合い、また補助ヒンジ部５６を中心に回動して開くと、蓋体４０から時計ケース６のヒンジ部４１と反対側に向けて突出するように構成されている。
【００７１】
また、このスピーカ搭載部材５５における補助ヒンジ部５６と反対側の端部には、図１６に示すように、スピーカ部４５が設けられている。このスピーカ部４５は、スピーカ搭載部材５５に埋め込まれた接続リード（図示せず）が補助ヒンジ部５６を介して蓋体４０内に導かれた上、第１、第２表示部４２、４３およびスピーカ部４５と共に接続部材（図示せず）によって時計ケース６内の回路基板（図示せず）に電気的に接続されている。
【００７２】
このような腕時計型通信装置によれば、第５実施形態と同様の作用効果があるほか、特に蓋体４０にスピーカ搭載部材５５を補助ヒンジ部５６によって回動可能に取り付け、このスピーカ搭載部材５５にスピーカ部４５を設けたので、時計ケース６に対し蓋体４０を開いて通信するときに、補助ヒンジ部５６を中心にスピーカ搭載部材５５を回動させて開くと、蓋体４０からスピーカ搭載部材５５を時計ケース６と反対側に向けて突出させることができる。このため、第６実施形態と同様、スピーカ部４５とマイク部４６とを十分に離すことができ、これによってもマイク部４６のハウリングを確実に防ぐことができる。また、スピーカ部４５とマイク部４６とがスピーカ搭載部材５５の長さだけ遠く離れるので、第６実施形態と同様、マイク部４６を口元１５に近づけても、スピーカ部４５を耳１４に十分に近づけることができ、これによってもスピーカ部４５とマイク部４６との両方の指向性を向上させることができる。
【００７３】
なお、上記第７実施形態では、蓋体４０にスピーカ搭載部材５５を補助ヒンジ部５６によって回動可能に取り付けたが、これに限らず、例えば蓋体４０にスピーカ搭載部材５５を収納する収納部をヒンジ部４１と反対側の端部のみに開放させて設け、この収納部内にスピーカ搭載部材５５を出没可能に収納するように構成しても良い。この場合にも、第６実施形態と同様、蓋体４０の表面側には第１表示部４２を設け、蓋体４０の内面側には第２表示部４３を設ければ良い。このような構造でも、第７実施形態と同様の作用効果がある。
【００７４】
また、上記第１〜第７実施形態およびその各変形例では、腕時計本体１を時計バンド３で腕２に装着する腕時計型通信装置に適用した場合について述べたが、これに限らず、例えば、送受信機能、表示部、および入力部を備えた通信機器本体をバンドで腕に装着する腕装着型通信装置に広く適用することができる。
また、上記第１〜第７実施形態およびその各変形例では、腕時計本体１を時計バンド３で腕２の手首部分に装着する腕時計型通信装置に適用した場合について述べたが、これに限らず、例えば、二の腕などの他の腕部分に装着する腕装着型通信装置に広く適用することができる。
【００７５】
さらに、上記第１〜第７実施形態およびその各変形例では、腕時計本体１を時計バンド３で一方の腕２（例えば、図４に示すように左腕）の手首部分に装着し、一方の耳１４（同図に示すように左耳）側にその腕時計本体１を当てる方法の使用例について述べたが、これに限らず、例えば腕時計本体１を時計バンド３で一方の腕２（例えば、左腕）の手首部分に装着し、他方の耳１４（右耳）側にその腕時計本体１を当てるような使用例にも適用することができる。
【００７６】
【発明の効果】
以上説明したように、請求項１に記載の発明によれば、機器本体を腕に装着するためのバンドの所定個所に、支持部材が、バンドの長手方向に対し直交する方向と、バンドの表面に対し重なる方向とに変位可能に取り付けられ、この支持部材の一端部にスピーカ部がその先端側に向けて設けられ、その他端部にマイク部が設けられているので、通信する際に支持部材をバンドの長手方向に対し直交する方向に向けて変位させると、機器本体をバンドによって腕に取り付けた状態でも、支持部材によってスピーカ部を耳側に向け、且つマイク部を口元側に向け易くなり、このためスピーカ部の放音方向を確実に耳に向け、且つマイク部の集音方向を確実に口元に向けることができ、これによりスピーカ部とマイク部との両方の指向性を確保することができる。
【００７７】
この場合、支持部材が支持軸によってバンドに回転可能に取り付けられていることにより、支持軸を中心に支持部材を回転させるだけで、支持部材をバンドの長手方向に対し直交する方向とバンドの表面に対し重なる方向とに簡単に変位させることができ、これにより使い勝手の良いものを得ることができる。また、支持部材がバンドに重なり合う帯状に形成されていることにより、携帯時に支持部材をバンドに重ね合わせることができ、これにより支持部材が邪魔にならずに良好に携帯することができる。
【００７８】
請求項３に記載の発明によれば、機器本体を腕に装着するためのバンドの所定個所に、バンドに重なり合う帯状の支持部材を、支持軸によってバンドの面方向に回転可能に取り付け、この支持部材の一端部にスピーカ部を設け、その他端部にマイク部を設けたので、請求項１に記載の発明と同様、支持部材をバンドの長手方向に対し直交する方向とバンドの表面に対し重なる方向とに簡単に回転させて変位させることができると共に、スピーカ部とマイク部との両方の指向性を確保できるほか、特に支持部材の少なくとも一端部をロック部材によってバンドに係脱可能に係止するので、支持部材をバンドに重ね合わせた状態で、支持部材をロック部材によってバンドに密着させて固定することができ、このため支持部材が邪魔にならず、良好に携帯することができる。
【００７９】
請求項５に記載の発明によれば、少なくとも時計機能部を有する機器本体を腕に装着するためのバンドの所定個所に、キー入力部を有する通信部を設け、この通信部に表示部を有する通信蓋をヒンジ部によって開閉可能に取り付け、通信部のヒンジ部と反対側に位置する個所にマイク部を設け、通信蓋のヒンジ部と反対側に位置する個所にスピーカ部を設けたので、通常の腕時計と同様、腕に装着して使用することができるほか、腕に装着して通信する際に、ヒンジ部を中心に通信蓋を通信部に対して開くと、通信部のキー入力および通信蓋の表示部を露呈させることができ、これにより表示部を見ながらキー入力部を操作することができる。
【００８０】
この場合、特に通信部におけるヒンジ部と反対側に位置する個所にマイク部を設け、通信蓋におけるヒンジ部と反対側に位置する個所にスピーカ部を設けたので、マイク部とスピーカ部とを十分に離すことができ、これによりマイク部のハウリングを防ぐことができる。また、機器本体を手の甲側に向けて腕に取り付ければ、腕を不自然に曲げずに、手の掌を耳に当てがう自然な状態で、スピーカ部の放音方向を耳に向け、且つマイク部の集音方向を口元に向けることができ、このためスピーカ部とマイク部との両方の指向性を確保することができると共に、使い勝手の良いものを得ることができる。
【００８１】
また、キー入力部がバンドの長手方向に対し直交する方向に向けて配置され、表示部がバンドの長手方向に対し直交する方向に向けて情報を表示することにより、上記と同様、機器本体を手の甲側に向け、通信部を手の掌側に向けて腕に取り付け、この状態で通信蓋を通信部に対して開くと、キー入力部がバンドの長手方向に対し直交する方向に向けて配置されると共に、表示部がバンドの長手方向に対し直交する方向に向けて情報を表示するので、機器本体が装着された腕を使用者自身の前に曲げて配置し、且つ手の掌を上に向けることにより、容易に表示部を見ながら良好にキー入力部を操作することができ、このため操作性が良く、使い勝手の良いものを得ることができる。
【００８２】
請求項８に記載の発明によれば、少なくとも通信機能部およびキー入力部を有する機器本体をバンドによって腕に装着すると共に、機器本体にこれに対面する表示部を有する蓋体をヒンジ部によってバンドの長手方向に対し直交する方向に向けて開閉可能に取り付け、この蓋体のヒンジ部と反対側に位置する個所にスピーカ部を設け、このスピーカ部から離れた個所にマイク部を設けたので、機器本体をバンドによって腕に装着して通信する際に、ヒンジ部を中心に蓋体を機器本体に対し開くと、機器本体のキー入力および蓋体の表示部を露呈させることができ、これにより表示部を見ながらキー入力部を操作することができる。
【００８３】
この場合、特に蓋体がバンドの長手方向に対し直交する方向に向けて開くので、機器本体を手の掌側に向けて腕に装着すれば、腕を不自然に曲げずに、手の掌を耳に当てがう自然な状態で、スピーカ部の放音方向を耳に向け、且つマイク部の集音方向を口元に向けることができる。しかも、蓋体におけるヒンジ部と反対側に位置する個所にスピーカ部が設けられ、このスピーカ部から離れた個所にマイク部が設けられているので、マイク部とスピーカ部とを十分に離すことができ、これによりマイク部のハウリングを防ぐことができると共に、スピーカ部とマイク部との両方の指向性を確保することができる。
【００８４】
また、蓋体にスピーカ部を搭載するスピーカ搭載部材がヒンジ部と反対側に向けて突出可能に設けられていることにより、スピーカ搭載部材を蓋体からヒンジ部と反対側に向けて突出させると、請求項８に記載の発明よりも、更にスピーカ部とマイク部とを離すことができ、これによりマイク部のハウリングを、より一層、確実に防ぐことができるほか、特にスピーカ部とマイク部とが遠く離れるので、スピーカ部を耳に近づけ且つマイク部を口元に近づけやすくなり、これによってもスピーカ部とマイク部との両方の指向性を向上させることができる。
さらに、キー入力部がバンドおよび支持部材のいずれか一方に配置されていることにより、通話または電子メールなどの通信にあたり、支持部材をバンドから取り外した直後に、または支持部材をバンドに重ね合わせた状態で、容易に表示部を見ながら良好にキー入力部を操作することができ、これによっても使い勝手の良いものを得ることができる。
【図面の簡単な説明】
【図１】この発明を腕時計型通信装置に適用した第１実施形態の斜視図。
【図２】図１の腕時計型通信装置を後方から見た斜視図。
【図３】図１の腕時計型通信装置を上方から見た側面図。
【図４】図１の腕時計型通信装置の使用状態を示した図。
【図５】第１実施形態の変形例を示した斜視図。
【図６】この発明を腕時計型通信装置に適用した第２実施形態の斜視図。
【図７】図６の通信蓋を開いた状態における要部の拡大正面図。
【図８】この発明を腕時計型通信装置に適用した第３実施形態の斜視図。
【図９】図８の通信蓋を開いた状態における要部の拡大正面図。
【図１０】この発明を腕時計型通信装置に適用した第４実施形態の斜視図。
【図１１】図１０の蓋体を開いた状態における斜視図。
【図１２】この発明を腕時計型通信装置に適用した第５実施形態における腕装着時の斜視図。
【図１３】図１２の蓋体を開いた状態における斜視図。
【図１４】この発明を腕時計型通信装置に適用した第６実施形態における腕装着時の斜視図。
【図１５】図１４のスピーカ搭載部材を蓋体内に収納した状態の斜視図。
【図１６】この発明を腕時計型通信装置に適用した第７実施形態における使用時の斜視図。
【符号の説明】
１  腕時計本体
２  腕
３  時計バンド
４  バンド止め具
５  支持部材
６  時計ケース
７、２５  表示部
９  入力スイッチ
１０  支持軸
１１、２６、４５  スピーカ部
１２、２４、４６  マイク部
１３  ロック釦
２０、３０  通信部
２１、３１  通信蓋
２２、３２、４１  ヒンジ部
２３、４４  キー入力部
４０、５０  蓋体
４２  第１表示部
４３  第２表示部
５１、５５  スピーカ搭載部材
５２  収納部
５３  取付軸
５６  補助ヒンジ部
【図１】
2004266354.tif 000003
【図２】
2004266354.tif 000004
【図３】
2004266354.tif 000005
【図４】
2004266354.tif 000006
【図５】
2004266354.tif 000007
【図６】
2004266354.tif 000008
【図７】
2004266354.tif 000009
【図８】
2004266354.tif 000010
【図９】
2004266354.tif 000011
【図１０】
2004266354.tif 000012
【図１１】
2004266354.tif 000013
【図１２】
2004266354.tif 000014
【図１３】
2004266354.tif 000015
【図１４】
2004266354.tif 000016
【図１５】
2004266354.tif 000017
【図１６】
2004266354.tif 000018